(57)【特許請求の範囲】
【請求項１】
床版を支持し、複数の柱に跨り一方向に延在して両壁部に至る受け部が、並列配置され、
隣り合う前記受け部の間にある両壁部の少なくとも一方には、冷気が吹き出す吹出口が設けられている、
フラットスラブ構造。
【請求項２】
前記受け部は、延在方向と直交する方向の垂直断面の形状が横方向に長い扁平形状である、
請求項１に記載のフラットスラブ構造。
【請求項３】
前記受け部は、
前記受け部の下部を構成すると共に前記床版が掛け渡されるプレキャスト製の下部受け部と、
前記下部受け部の上に打設されたコンクリート部と、
を有している、
請求項１又は請求項２に記載のフラットスラブ構造。
【発明の詳細な説明】
【技術分野】
【０００１】
本発明は、フラットスラブ構造に関する。
【背景技術】
【０００２】
特許文献１及び特許文献２には、交差した梁がスラブの下面から下方に突出した建物が開示されている。
【０００３】
このように交差した梁がスラブの下面から突出した建物では、スラブの下面に沿って一方向に延在するスペースを確保することができない。よって、例えば、冷気などの気流が梁に遮られるためスラブの下面に沿って一方向に流れにくいので、空調効率が低下する。或いは、設備配管や設備配線を一方向に沿って設ける場合、梁に設備配管や設備配線を通すための貫通孔をあけるか設備配管や設備配線が梁を乗り越える必要がある。
【先行技術文献】
【特許文献】
【０００４】
【特許文献１】特開２００５−２２６３４９号公報
【特許文献２】特開２０１１−２６９１９５号公報
【発明の概要】
【発明が解決しようとする課題】
【０００５】
本発明は、上記事実に鑑み、スラブの下面に沿って一方向に延在するスペースを容易に確保することが目的である。
【課題を解決するための手段】
【０００６】
第一態様は、床版を支持し、複数の柱に跨り一方向に延在して両壁部に至る受け部が、並列配置されている。
【０００７】
第一態様では、床版を支持する受け部を一方向に延在させて両壁部に至らせ、且つ並列配置することで、隣り合う受け部の間にスラブの下面に沿って一方向に延在するスペースが確保される。そして、このスペースに一方向に延在する流路、設備配管及び設備配線などを容易に配置することができる。
【０００８】
第二態様は、隣り合う前記受け部の間にある両壁部の少なくとも一方には、冷気が吹き出す吹出口が設けられている。
【０００９】
第二態様では、隣り合う受け部の間に冷気が延在方向に沿ってスムーズに流れるので、交差する梁がある場合と比較し、空調効率が向上する。
【００１０】
第三態様は、前記受け部は、前記受け部の下部を構成すると共に前記床版が掛け渡されるプレキャスト製の下部受け部と、前記下部受け部の上に打設されたコンクリート部と、を有している。
【００１１】
第三態様では、受け部の下部を構成するプレキャスト製の下部受け部を、コンクリート部を打設する際の型枠として利用することで、施工性が向上する。
【００１２】
また、プレキャスト製の下部受け部に床版が掛け渡されているので、床版を支持する支保工が不要又は削減することができる。
【発明の効果】
【００１３】
本発明によれば、スラブの下面に沿って一方向に延在するスペースを容易に確保することができる。
【図面の簡単な説明】
【００１４】
【図１】フラットスラブ構造を示す図４の１−１線に沿った縦断面図ある。
【図２】フラットスラブ構造が適用された建物の内部構造を示す斜視図である。
【図３】図２に示す建物のＸ方向に沿った縦断面図である。
【図４】図３の４−４線に沿った水平断面図（見上げ図）である。
【発明を実施するための形態】
【００１５】
＜実施形態＞
本発明の一実施形態に係るフラットスラブ構造について説明する。なお、各図において、鉛直方向を矢印Ｚで示し、水平方向における直交する２方向を矢印Ｘ及び矢印Ｙで示す。
【００１６】
（構造）
先ず、第一実施形態に係るフラットスラブ構造１０が適用された建物１２の構造について説明する。
【００１７】
図２等に示す本実施形態の建物１２は、商品等を低温で貯蔵することを目的とした冷凍倉庫又は冷蔵倉庫とされている。図１、図２及び図３に示すように、この建物１２の上下階を仕切るスラブは、下面から突出する梁が設けられていないフラットスラブ５０とされている。
【００１８】
図３及び図４に示すように、建物１２内部における低温に維持され商品等を貯蔵する低温倉庫部１３のＸ方向の両側部には、Ｙ方向に沿った内壁２０及び内壁２２が設けられている。また、図２及び図４に示すように、低温倉庫部１３のＹ方向の中央部にはＸ方向に沿った内壁２４が設けられている。
【００１９】
図１、図２、図３、及び図４に示すように、建物１２内部の低温倉庫部１３には、鉄筋コンクリート製の柱３０が複数設けられている。また、図１に示すように、柱３０には、複数の柱主筋３２と複数のせん断補強筋３４とが配筋されている。
【００２０】
図２、図３、及び図４に示すように、低温倉庫部１３には、Ｘ方向に延在するワンウェイキャピタル１００がＹ方向に間隔をあけて並列に設けられている。ワンウェイキャピタル１００は、複数の柱３０に跨り、各柱３０に接合されている。
【００２１】
図３及び図４に示すように、ワンウェイキャピタル１００のＸ方向の端部は、内壁２０及び内壁２２まで至り、内壁２０及び内壁２２に接合されている。
【００２２】
図１、図２、図３、及び図４に示すように、ワンウェイキャピタル１００は、Ｙ方向に沿った垂直断面の形状が横方向（Ｙ方向）に長い略長方形状（扁平形状）とされている。
【００２３】
図１に示すように、ワンウェイキャピタル１００は、Ｘ方向に延在する凹部１１２が形成されたプレキャスト版１１０と、このプレキャスト版１１０の上に現場で打設されたコンクリート部１２０とで構成されている。プレキャスト版１１０は、Ｙ方向の端部から接合鉄筋１１４が突出し、コンクリート部１２０に埋設されている。コンクリート部１２０の上部には、Ｘ方向に延在する主筋１２２がＹ方向に間隔をあけて配筋されている。なお、プレキャスト版１１０は、工場で製造するものだけでなく、工事現場で製造するサイトプレキャストも含まれる。
【００２４】
また、プレキャスト版１１０にもＸ方向に延在する主筋１２２がＹ方向に間隔をあけて配筋されている。なお、本実施形態では、プレキャスト版１１０の主筋１２２は、コンクリート部１２０の主筋１２２よりも低密度で配筋されていると共に、プレキャスト版１１０の柱３０と取り合う部分においては、配筋されていない。また、Ｘ方向に延在する主筋１２２の端部同士は、重ね継手で接合されている。なお、プレキャスト版１１０の柱３０と取り合う部分においても主筋が配筋され、溶接接合されていてもよい。
【００２５】
なお、本実施形態では、プレキャスト版１１０は、図４に示す破線Ｇにおいて、分割されている。別の観点から説明すると、複数のプレキャスト小版１１１がＸ方向に接続されることでプレキャスト版１１０が構成されている。
【００２６】
図１に示すように、フラットスラブ５０は、スパンクリート製のボード材５８と、このボード材５８の上に打設されたトッピングコンクリート部５４と、で構成されている。ボード材５８は、ワンウェイキャピタル１００のプレキャスト版１１０の端部間に掛け渡され、支持されている。トッピングコンクリート部５４には、Ｘ方向に延在する主筋５６がＹ方向に間隔をあけて配筋されている。
【００２７】
また、Ｙ方向に延在する鉄筋６０が、Ｘ方向に間隔をあけて配筋されている。この鉄筋６０は、ワンウェイキャピタル１００のコンクリート部１２０とフラットスラブ５０のトッピングコンクリート部５４とに跨り、また柱３０を貫通して配筋されている。
【００２８】
図３及び図４に示すように、内壁２０におけるＹ方向に隣り合うワンウェイキャピタル１００の間にある部位には、冷気が吹き出す吹出口７０が設けられている。図３に示すように、吹出口７０はフラットスラブ５０の下面５２に近接配置されている。
【００２９】
（作用及び効果）
次に、本実施形態の作用及び効果について説明する。
【００３０】
図２及び図３に示すように、Ｙ方向に隣り合うワンウェイキャピタル１００の間にフラットスラブ５０の下面５２に沿ってＸ方向に延在するスペース１５０が確保される。そして、このスペース１５０に吹出口７０から吹き出した冷気が、フラットスラブ５０の下面５２に沿ってＸ方向に流れる。なお、矢印Ｌは冷気の流れを表している。
【００３１】
よって、図３及び図４に示すように、冷気は、隣り合うワンウェイキャピタル１００の間のスペース１５０をフラットスラブ５０の下面５２に沿ってＸ方向にスムーズに流れる。また、ワンウェイキャピタル１００のＸ方向の端部は、内壁２０及び内壁２２まで至り内壁２０及び内壁２２に接合されているので、冷気は途中でＹ方向に分岐することなく、Ｘ方向にスムーズに流れる。したがって、空調効率が向上する。
【００３２】
また、図３に示すように、一方の内壁２０から吹き出した冷気は、他方の内壁２２に到達すると内壁２２に沿って下方に流れ、更にフラットスラブ５０の上面５９に沿って一方の内壁２０に至り、内壁２０に沿って上方に流れる。このように、冷気がスムーズに循環することで、空調効率が向上する。
【００３３】
図１に示すように、ワンウェイキャピタル１００の下部をプレキャスト版１１０で構成することで、ワンウェイキャピタル１００の全体重量（揚重重量）を軽くすることができる。また、プレキャスト版１１０は、複数のプレキャスト小版１１１がＸ方向に接続されることで構成されている。よって、プレキャスト小版１１１を揚重する重機の必要能力を抑えることができる。なお、ワンウェイキャピタル１００上にスタイロを設置してボイド化することで、全体重量を低減してもよい。
【００３４】
また、凹部１１２が形成されたプレキャスト版１１０を、コンクリート部１２０を打設する際の型枠として利用することで、施工性が向上する。
【００３５】
フラットスラブ５０を構成するスパンクリート製のボード材５８をプレキャスト版１１０に掛け渡すことで、ボード材５８を支持する支保工が不要又は削減することができる。また、プレキャスト版１１０を支持する支保工も削減することができる。
【００３６】
また、フラットスラブ５０を支持するワンウェイキャピタル１００は、隣接する柱３０に跨って設けられている。これにより、柱３０とワンウェイキャピタル１００とでラーメン構造が形成され、地震時の水平力をラーメン構造が負担することができ、フラットスラブ５０の水平力に対する剛性が増加する。
【００３７】
ワンウェイキャピタル１００は、Ｙ方向に沿った垂直断面の形状が横方向（Ｙ方向）に長い略長方形状（扁平形状）であるので、フラットスラブ５０と同様に主として長期荷重を考慮すればよい（地震時の水平荷重をあまり考慮しなくてよい）。よって、ワンウェイキャピタル１００の下部を構成するプレキャスト版１１０の主筋１２２を削減することができる。
【００３８】
また、ワンウェイキャピタル１００は長期荷重のみを考慮すればよいので、主筋１２２の端部同士を重ね継手で接合することできる。そして、主筋１２２の配筋を重ね継手することで、施工性が向上する。また、主筋１２２の端部同士の接合を重ね継手とすることで、プレキャスト版１１０を、機械式継手のよう複雑な形状とする必要がない。
【００３９】
尚、本発明は上記実施形態に限定されない。
【００４０】
例えば、スペース１５０に冷気が流れる建物１２は、冷凍倉庫又は冷蔵倉庫とされていたが、これに限定されることはなく、例えばデータセンターであってもよい。
【００４１】
また、例えば、上記実施形では、Ｙ方向に隣り合うワンウェイキャピタル１００の間にフラットスラブ５０の下面５２に沿ってＸ方向に延在するスペース１５０が確保され、このスペース１５０に吹出口７０から吹き出した冷気が、フラットスラブ５０の下面５２に沿ってＸ方向に流れている。つまり、スペース１５０を冷気の流路として利用している。しかし、スペース１５０を空調用の空気（冷気、暖気及び換気用の空気等）が流れる流路として利用してもよい。更に、スペース１５０を流路以外で利用してもよい。例えば、スペース１５０に設備配管や設備配線を設けてもよい。なお、設備配管とは、空調ダクト、水道管、ガス管及び下水管等である。また、設備配線とは、電気線や信号線（ＬＡＮ、インターネット回線及び電話回線）などである。
【００４２】
また、例えば、上記実施形態では、ワンウェイキャピタル１００は、Ｘ方向に延在する凹部１１２が形成されたプレキャスト版１１０と、このプレキャスト版１１０の上に打設されたコンクリート部１２０と、で構成されていたが、これに限定されない。例えば、全て現場で打設されたコンクリートで構成されたワンウェイキャピタルであってもよいし、プレキャスト版のみで構成されたワンウェイキャピタルであってもよい。
【００４３】
また、図１及び図４では、Ｘ方向に延在し両端部が内壁２０及び内壁２２に至るワンウェイキャピタル１００のみが図示されているが、端部が内壁２０及び内壁２２に至らないワンウェイキャピタルが設けられていてもよい。また、隣り合うワンウェイキャピタル１００の間のスペース１５０に設けられていなければ、Ｘ方向に延在するキャピタルが設けられていてもよい。
【００４４】
更に、本発明の要旨を逸脱しない範囲において種々なる態様で実施し得ることは言うまでもない。
【符号の説明】
【００４５】
１０      フラットスラブ構造
１２      建物
２０      内壁（壁部の一例）
２２      内壁（壁部の一例）
３０      柱
５０      フラットスラブ（床版の一例）
７０      吹出口
１００      ワンウェイキャピタル（受け部の一例）
１１０      プレキャスト版（下部受け部）
１２０      コンクリート部
【図１】
0006510332.tif 000002
【図２】
0006510332.tif 000003
【図３】
0006510332.tif 000004
【図４】
0006510332.tif 000005